(57)【要約】【課題】煙草の煙をより効果的に除去可能な空気清浄装置を備える遊技機を提供する。【解決手段】遊技機１の上方には、矩形の第１吸引口２０を設ける箱形の第１ファンユニット２３を配置する。第１ファンユニット２３は、第１フィルタ２１の後方に軸流ファンモータ２２を設ける。前方に遊技機１の下方には、一対の略円形の第２吸引口２５Ｌ・２５Ｒを設ける一対の筒形の第２ファンユニット３０・３０を配置する。第２ファンユニット３０は、第２フィルタ２８の後方にブロワーファンモータを配置する。箱形の第１ファンユニット２３と一対の筒形の第２ファンユニット３０・３０とを一対の柔軟パイプ３３・３３で接続することによって、遊技機１の周囲に漂う煙草の煙を除去できる。【選択図】図２
2008295522.tif 000002
【特許請求の範囲】
【請求項１】
前面扉を開閉する筐体を備える遊技機であって、
喫煙による煙や匂いを取り除く空気清浄装置を備え、
前記前面扉は、上方に設けられて略矩形に開口する第１吸引口と、下方に設けられて略円形に開口する一対の第２吸引口と、を有し、
前記空気清浄装置は、前記第１吸引口から第１フィルタを介して空気を吸引する軸流ファンモータを設ける略箱形の第１ファンユニットと、前記一対の第２吸引口から第２フィルタを介して空気を吸引する一対のブロワーファンモータを設ける一対の略筒形の第２ファンユニットと、を有し、
前記第１ファンユニットは、上方に向かって開口する第１排出口と、前記一対の第２ファンユニットに向かって開口する一対の第３吸引口と、を有し、
前記一対の第２ファンユニットは、前記第１ファンユニットに向かって開口する一対の第２排出口を有し、
前記一対の第３吸引口と前記一対の第２排出口とは、一対の柔軟パイプで接続していることを特徴とする遊技機。
【請求項２】
前記第１フィルタは、前方から着脱容易に交換されることを特徴とする請求項１記載の遊技機。
【請求項３】
前記一対の第２フィルタは、前方から着脱容易に交換されることを特徴とする請求項１又は２記載の遊技機。
【請求項４】
前記一対の第２吸引口は、多孔板で覆われることを特徴とする請求項１から３のいずれかに記載の遊技機。
【請求項５】
前記一対の第２吸引口のいずれか一方は灰皿の近傍に配置されていることを特徴とする請求項１から４のいずれかに記載の遊技機。
【発明の詳細な説明】
【技術分野】
【０００１】
本発明は、遊技機に関する。特に、喫煙による煙や匂いを取り除く空気清浄装置を備える遊技機に関する。
【背景技術】
【０００２】
一般に、スロットマシン、又はパチンコ機などの遊技機の遊技者は、椅子に座り、遊技機と対面して遊技している。そして、多数の遊技機を設置する遊技店には、遊技者が快適に遊技を楽しめるように、店舗内に空気調節装置（エアーコンディショナー、以下、空調機という）が設置されている。
【０００３】
このような遊技店では、遊技機の前で喫煙する遊技者もいることから、店舗内の空調機に頼ることなく、遊技機の周囲に漂う煙草の煙を除去することが可能な遊技機が発明されている（例えば、特許文献１参照）。
【０００４】
特許文献１による遊技機は、遊技機の前面扉の吸引口と重なる下部開口と、前面扉の排出口と重なる上部開口とをダクトで連通させ、このダクト内に設けた送風ユニットが送風スイッチを操作することで作動して、煙草の煙や塵埃を吸引口から取り込み、フィルタを通過させることで浄化した空気を排出口から排出する排煙ユニットを設けている。
【特許文献１】特開２００４−２３６９０６号公報
【発明の開示】
【発明が解決しようとする課題】
【０００５】
しかし、特許文献１による遊技機は、前面扉の内部にフィルタを設けているので、フィルタの交換が容易でないという問題がある。煙草による煙や匂いが付着したフィルタは、前面扉を開けることなく、前方から交換されることが好ましい。又、特許文献１による第４実施形態では、灰皿に置かれた煙草の煙を吸引・除去することが可能な排煙ユニットが開示されている。しかし、隣接する遊技機に備わる灰皿に置かれた煙草の煙も吸引・除去することが好ましい。したがって、煙草の煙を吸い込む吸引口を前面扉の下方に一対に設けることにより、遊技機の周囲に漂う煙草の煙をより効果的に除去できる。そして、以上のことが本発明の課題といってよい。
【０００６】
本発明は、このような問題に鑑みてなされたものであり、フィルタの交換が容易であり、遊技機の周囲に漂う煙草の煙をより効果的に除去可能な空気清浄装置を備える遊技機を提供することを目的とする。
【課題を解決するための手段】
【０００７】
本発明者らは、上記目的を達成するため、遊技機の上方に矩形の吸引口を設ける箱形のファンユニットを配置し、遊技機の下方に円形の吸引口を設ける一対の筒形のファンユニットを配置し、箱形のファンユニットと筒形のファンユニットとを柔軟パイプで接続することにより、遊技機の周囲に漂う煙草の煙をより効果的に除去できることを見出し、これに基づいて、以下のような新たな空気清浄装置を備える遊技機を発明するに至った。
【０００８】
（１）  前面扉を開閉する筐体を備える遊技機であって、喫煙による煙や匂いを取り除く空気清浄装置を備え、前記前面扉は、上方に設けられて略矩形に開口する第１吸引口と、下方に設けられて略円形に開口する一対の第２吸引口と、を有し、前記空気清浄装置は、前記第１吸引口から第１フィルタを介して空気を吸引する軸流ファンモータを設ける箱形の第１ファンユニットと、前記一対の第２吸引口から第２フィルタを介して空気を吸引する一対のブロワーファンモータを設ける一対の筒形の第２ファンユニットと、を有し、前記第１ファンユニットは、上方に向かって開口する第１排出口と、前記一対の第２ファンユニットに向かって開口する一対の第３吸引口と、を有し、前記一対の第２ファンユニットは、前記第１ファンユニットに向かって開口する一対の第２排出口を有し、前記一対の第３吸引口と前記一対の第２排出口とは、一対の柔軟パイプで接続していることを特徴とする遊技機。
【０００９】
（１）の発明による遊技機は、前面扉を開閉する筐体を備えている。又、（１）の発明による遊技機は、喫煙による煙や匂いを取り除く空気清浄装置を備えている。前面扉は、上方に設けられる第１吸引口と、下方に設けられる一対の第２吸引口と、を有している。第１吸引口は、略矩形に開口している。一対の第２吸引口は、略円形に開口している。
【００１０】
空気清浄装置は、略箱形の第１ファンユニットを有している。又、空気清浄装置は、一対の略筒形の第２ファンユニットを有している。第１ファンユニットは、第１吸引口から第１フィルタを介して空気を吸引する軸流ファンモータを設けている。一対の第２ファンユニットは、一対の第２吸引口から第２フィルタを介して空気を吸引する一対のブロワーファンモータを設けている。
【００１１】
更に、第１ファンユニットは、第１排出口と一対の第３吸引口を有している。第１排出口は、上方に向かって開口している。一対の第３吸引口は、一対の第２ファンユニットに向かって開口している。一対の第２ファンユニットは、一対の第２排出口を有している。一対の第２排出口は、第１ファンユニットに向かって開口している。
【００１２】
そして、（１）の発明による遊技機は、一対の第３吸引口と一対の第２排出口とは、一対の柔軟パイプで接続している。
【００１３】
例えば、第１吸引口は、前面に縦縞の格子を有する第１カバーで覆われてよく、この第１カバーは、第１ファンユニットと着脱自在に取り付けられる構造が好ましい。第１カバーを取り外すと、第１フィルタが引き出し容易な構成が好ましい。第１吸引口を形成する囲み部は、前面扉より僅かに突出してよく、この囲み部の上方から第１フィルタが着脱される。
【００１４】
第１フィルタは、網目状の通風孔が疎なフィルタと、発泡材などで形成される通風孔が密なフィルタとで一体構成されてよく、疎なフィルタが第１吸引口と対向するように配置することにより、塵芥などの粗い粒子が最初に疎なフィルタで除去され、煙草の煙などの密な粒子が次に密なフィルタで除去されるという効果がある。
【００１５】
軸流ファンモータは、第１フィルタに近接配置されることが好ましく、羽根車を回転すると、第１フィルタを通過した空気を軸方向に排出する。軸流ファンモータは、横方向に複数配置されることを排除しない。軸流ファンモータに対向する第１ファンユニットの内壁は、所要の距離を設けることが好ましく、第１ファンユニットの風量が減少することを防止できる。この第１ファンユニットの内壁は、第１排出口に向かって風が流れるように傾斜を設けてもよい。箱形の第１ファンユニットとは、吸引口や排出口を除き密閉構造であることを意味している。
【００１６】
第２吸引口は、前面に網目状の格子を有する第２カバーで覆われてよく、この第２カバーは、第２ファンユニットと回動することにより着脱自在に取り付けられる構造が好ましい。第２カバーを取り外すと、第２フィルタが引き出し容易な構成が好ましい。
【００１７】
例えば、第２カバーは、相反する向きに突出する一対のフランジを設けてよく、第２吸引口に設けられた一対の切り欠きに一対のフランジが挿入されて、所定角度、一方の方向に回動することにより、第２カバーが固定される。第２カバーを他方の方向に回動することにより、取り外すことができる。
【００１８】
第２カバーは、筒形に形成されることが好ましく、所定の深さを有する筒状の内部に第２フィルタが配置されることが好ましい。第２カバーを取り外すことにより、第２フィルタを交換できる。
【００１９】
第２フィルタは、網目状の通風孔が疎なフィルタと、発泡材などで形成される通風孔が密なフィルタとで一体構成されてよく、疎なフィルタが第２吸引口と対向するように配置することにより、塵芥などの粗い粒子が最初に疎なフィルタで除去され、煙草の煙などの密な粒子が次に密なフィルタで除去されるという効果がある。
【００２０】
ブロワーファンモータは、第２フィルタに近接配置されることが好ましく、放射状に配置したランナ（羽根車）を回転すると、第２フィルタを通過した空気が軸方向から吸引されて、軸方向と略直交な向きに旋回流を作って排気する。
【００２１】
ブロワーファンモータは、前記ランナと、ランナを回転させるモータと、ランナの周囲を囲って旋回流を排出するケーシングとで構成されてよく、このケーシーグの吐出口を第１ファンユニットに向かって開口している第２排出口としてもよい。第２ファンユニットは、ブロワーファンモータを主構成品としてよく、略筒形に形成される。
【００２２】
一対の第３吸引口と一対の第２排出口とは、一対の柔軟パイプで接続してよく、例えば、柔軟パイプの管端は、ねじりコイルばねの弾性力で縮径可能なピンチ金具で接続されてよく、柔軟パイプの着脱を容易にできる。一般に、スロットマシンなどの遊技機は、前面扉の内部中央にメダルセレクタや、スイッチやランプ類が突出しており、接続パイプを合成樹脂による柔軟パイプで接続することにより、フレキシブルに一対の第３吸引口と一対の第２排出口とを接続できる。
【００２３】
（１）の発明による遊技機は、煙草の煙を吸い込む第１吸引口を前面扉の上方に設け、煙草の煙を吸い込む第２吸引口を前面扉の下方に一対に設けることにより、遊技機の周囲に漂う煙草の煙をより効果的に除去できる。
【００２４】
（２）  前記第１フィルタは、前方から着脱容易に交換されることを特徴とする（１）記載の遊技機。
【００２５】
（２）の発明による遊技機は、所定の期間をおいて、第１フィルタが前方から着脱容易に交換されるので便利である。
【００２６】
（３）  前記一対の第２フィルタは、前方から着脱容易に交換されることを特徴とする（１）又は（２）記載の遊技機。
【００２７】
（３）の発明による遊技機は、所定の期間をおいて、第２フィルタが前方から着脱容易に交換されるので便利である。
【００２８】
（４）  前記一対の第２吸引口は、多孔板で覆われることを特徴とする（１）から（３）のいずれかに記載の遊技機。
【００２９】
（４）の発明による遊技機は、第２吸引口が多孔板で覆われてよく、多孔板を有する第２カバーを合成樹脂などで成形することにより、煙草の煙で汚れた第２カバーを洗浄できる。第２カバーを再使用できる。
【００３０】
（５）  記一対の第２吸引口のいずれか一方は灰皿の近傍に配置されていることを特徴とする（１）から（４）のいずれかに記載の遊技機。
【００３１】
（５）の発明による遊技機は、灰皿に置かれた煙草の煙を吸引して清浄に排出できる。
【発明の効果】
【００３２】
本発明による遊技機は、遊技機の上方に矩形の吸引口を設ける箱形の第１ファンユニットを配置し、遊技機の下方に円形の吸引口を設ける一対の筒形の第２ファンユニットを配置し、軸流ファンモータを設ける第１ファンユニットと、ブロワーファンモータ設ける第２ファンユニットとを柔軟パイプで接続することにより、遊技機の周囲に漂う煙草の煙をより効果的に除去できる。又、本発明による遊技機は、フィルタが前方から着脱容易に交換されるので便利である。
【発明を実施するための最良の形態】
【００３３】
以下、図面を参照して本発明を実施するための最良の形態を説明する。
【００３４】
図１は、本発明による遊技機の一実施形態を示す斜視外観図である。図２は、前記実施形態による遊技機に備わる空気清浄装置の斜視分解組立図であり、筐体部分は省略している。図３は、前記実施形態による遊技機に備わる空気清浄装置の要部を示す縦断面図である。
【００３５】
図１において、遊技機１は、いわゆるパチスロ機である。遊技機１は、コイン、メダル、遊技球又はトークンなどの他、遊技者に付与された、又は付与される遊技価値の情報を記憶したカードなどの遊技媒体を用いて遊技する遊技機であるが、以下ではメダルを用いるものとして説明する。
【００３６】
図１において、遊技機１は筐体１ａを有しており、筐体１ａには開閉可能に前面扉２が取り付けられている。前面扉２の正面には、略垂直面であるパネル表示部２ａと、画像の表示による演出を行う画像表示手段として用いられる液晶表示部２ｂと、固定表示部２ｃとが形成されている。又、前面扉２の背後には、遊技に必要な複数種類の図柄が各々の外周面に描かれた図柄表示手段として用いられる３個のリール３Ｌ・３Ｃ・３Ｒが、回転自在に横一列に設けられている。各リール３Ｌ・３Ｃ・３Ｒは、一定の速度で回転する（例えば、８０回転／分）。
【００３７】
パネル表示部２ａ、液晶表示部２ｂ、及び固定表示部２ｃの下方には略水平面の台座部４が形成されている。台座部４の右側には、メダルを投入するためのメダル投入口５が設けられている。投入されたメダルは、クレジットされるか、ゲームに賭けられる。又、台座部４の左側には、押下操作により、クレジットされているメダルを賭けるための１−ＢＥＴスイッチ６、２−ＢＥＴスイッチ７、及び最大ＢＥＴスイッチ８が設けられている。
【００３８】
１−ＢＥＴスイッチ６は、１回の押し操作により、クレジットされているメダルのうちの１枚がゲームに賭けられ、２−ＢＥＴスイッチ７は、１回の押し操作により、クレジットされているメダルのうちの２枚がゲームに賭けられ、最大ＢＥＴスイッチ８は、１回のゲームに賭けることが可能な最大枚数のメダルが賭けられる。
【００３９】
これらのＢＥＴスイッチ６〜８を操作することにより、所定の表示ラインが有効化される。ＢＥＴスイッチ６〜８の操作及びメダル投入口５にメダルを投入する操作（遊技を行うためにメダルを投入する操作）は、「ＢＥＴ操作」と呼ばれる。又、ＢＥＴスイッチ６〜８の上方には、操作部９が設けられている。操作部９は、液晶表示装置に遊技履歴などの情報を表示するために操作される。
【００４０】
台座部４の前面部の左寄りには、遊技者がゲームで獲得したメダルのクレジット／払出しを押しボタン操作で切り換えるＣ／Ｐスイッチ１０が設けられている。Ｃ／Ｐスイッチ１０の切り換えにより、正面下部のメダル払出口１１からメダルが払出され、払出されたメダルはメダル受け部１２に溜められる。
【００４１】
Ｃ／Ｐスイッチ１０の右側には、遊技者の操作により前記リールを回転させ、図柄表示領域内で図柄の変動表示を開始するための開始操作手段として用いられるスタートレバー１４が所定の角度範囲で傾動自在に取り付けられている。
【００４２】
台座部４の前面部中央において、スタートレバー１４の右側には、停止操作手段として用いられる停止ボタンユニット１５が設けられている。停止ボタンユニット１５は、３個のリール３Ｌ・３Ｃ・３Ｒの回転をそれぞれ停止させるために遊技者が押圧操作可能な停止操作部として機能する３個の停止ボタン１６Ｌ・１６Ｃ・１６Ｒを備えている。
【００４３】
なお、図示の例では、一のゲーム（単位遊技）は、基本的にスタートレバー１４が操作されることにより開始し、全てのリール３Ｌ・３Ｃ・３Ｒが停止したときに終了する。
【００４４】
パネル表示部２ａは、図示はしないがボーナス遊技情報表示部、ＢＥＴランプ群、払出表示部、及びクレジット表示部を備えている。ボーナス遊技情報表示部は、例えば、７セグメントＬＥＤからなり、ボーナス中の遊技情報を表示する。ＢＥＴランプ群として１−ＢＥＴランプ、２−ＢＥＴランプ、及び最大ＢＥＴランプがあり、これらのランプは、一のゲームを行うために賭けられたメダルの数（以下「ＢＥＴ数」という）に応じて点灯する。
【００４５】
つまり、１−ＢＥＴランプは、ＢＥＴ数が１枚のときに点灯する。２−ＢＥＴランプは、ＢＥＴ数が２枚のときに点灯する。最大ＢＥＴランプは、ＢＥＴ数が３枚のときに点灯する。払出表示部及びクレジット表示部は、それぞれ７セグメントＬＥＤからなり、入賞が成立した時（役が成立したとき）のメダルの払出枚数及びクレジットされているメダルの枚数を表示する。
【００４６】
液晶表示部２ｂは、図示はしないが、図柄表示領域、窓枠表示領域、及び演出表示領域を有している。液晶表示部２ｂの表示内容は、リール３Ｌ・３Ｃ・３Ｒの回転及び停止態様、及び液晶表示装置（図示せず）の動作により変化する。図柄表示領域は、各リール３Ｌ・３Ｃ・３Ｒに対応して設けられ、リール３Ｌ・３Ｃ・３Ｒ上に配置された図柄の表示や、種々の演出表示を行う。
【００４７】
図柄表示領域には、表示ラインとして、水平方向にトップライン、センターライン、及びボトムライン、並びに、斜め方向にクロスアップライン及びクロスダウンラインを設けている。これらの表示ラインは、遊技者が、前述のＢＥＴスイッチ６〜８を押下操作すること、又はメダル投入口５にメダルを投入することにより、それぞれ１本、３本、５本が有効化される。どの表示ラインが有効化されたかは、前述のＢＥＴランプの点灯で表示される。なお、表示ラインは、役の成否に関わる。
【００４８】
図柄表示領域は、少なくとも、対応するリール３Ｌ・３Ｃ・３Ｒが回転中のとき、及び、対応する停止ボタン１６Ｌ・１６Ｃ・１６Ｒが押圧操作可能なとき、遊技者がリール３Ｌ・３Ｃ・３Ｒ上の図柄を視認できるように、透過状態となる。
【００４９】
窓枠表示領域は、各図柄表示領域を囲むように設けられ、リール３Ｌ・３Ｃ・３Ｒの前面に配置された図柄表示領域の窓枠を表したものである。演出表示領域は、液晶表示部２ｂの領域のうち、図柄表示領域及び窓枠表示領域以外の領域である。この演出表示領域は、ボーナスが成立可能であることを確定的に報知する画像（例えば、告知ランプ）の表示、ゲームの興趣を増大するための演出、遊技者がゲームを有利に進めるために必要な情報などの表示を行う。
【００５０】
固定表示部２ｃは、予め定めた図、絵などが描かれる領域である。固定表示部２ｃに描かれた図、絵などと、演出表示領域に表示された画像を連接させることにより一つの静止画像又は動画像を表示できるようにしてもよい。
【００５１】
なお、図示はしないが、筐体１ａ内には、効果音などの音響を出音することで音による演出を行う音演出手段としてのスピーカが設けられている。
【００５２】
図示のように、前面扉２において、メダル受け部１２の左側には灰皿部１８が設けられており、遊技中などに喫煙する遊技者は、灰皿部１８に煙草の灰を落とすことになる。そして、灰皿部１８には煙草を一旦、灰皿部１８に置くための煙草受け溝部１８ａが形成されている。
【００５３】
前述のように、遊技店においては、空調機が設置されているが、遊技機１の前で喫煙する遊技者がいると、店舗内の空調機のみでは効果的に煙草の煙及び臭いを除去することが難しく、非喫煙者である遊技者にとって不快となることがある。
【００５４】
このため、図示の遊技機１においては、前面扉２に設けられたパネル表示部２ａ、液晶表示部２ｂ、及び固定表示部２ｃの上方に、略矩形に開口する第１吸引口が設けられ、この第１吸引口は、第１カバー１７で覆われている。第１カバー１７は縦縞の格子を有しており、後述するように、第１カバー１７を介して第１吸引口から空気を吸引する。
【００５５】
一方、メダル受け部１２の上方の左右には、略円形に開口する一対の第２吸引口が形成されており、これらの第２吸引口は、それぞれ第２カバー１３Ｌ・１３Ｒで覆われている。これら第２カバー１３Ｒ・１３Ｌの各々は網目状の格子を有しており、後述するように、第２カバー１３Ｒ・１３Ｌを介して第２吸引口から空気を吸引する。
【００５６】
なお、第２カバー１３Ｌ（つまり、第２吸引口）は灰皿部１８の直上に位置付けられているから、灰皿部１８に置かれた煙草から立ち上る煙は直ちに第２カバー１３Ｌを介して吸引されることになり、喫煙中に立ち上る煙などは第１カバー１７（つまり、第１吸引口）を介して吸引されることになる。又、遊技店においては、複数の遊技機１が互いに隣接して配置されているから、隣の遊技機において灰皿部１８に置かれた煙草の煙は、第２カバー１３Ｒを介しても吸引されることになるから、効果的に煙草の煙を吸引することができる。
【００５７】
次に、図２及び図３を参照して、図示の遊技機１で用いられる空気清浄装置の構成を説明する。
【００５８】
前述のように、前面扉２にはその上方に略矩形に開口する第１吸引口２０が形成されており、第１吸引口２０には、第１フィルタ２１が配置される。第１フィルタ２１は、例えば、網目状の通風孔が疎なフィルタ２１ａと、発泡材などで形成される通風孔が密なフィルタ２１ｂとで一体構成され、フィルタ２１ａが前面側に位置付けられる。
【００５９】
第１フィルタ２１の後ろ側には、複数の軸流ファンモータ２２が横方向に並べて配置されている。図２の実施例では、３つの軸流ファンモータ２２が配置されている。そして、第１フィルタ２１及び軸流ファンモータ２２によって、密閉構造の第１ファンユニット２３が構成される。なお、第１ファンユニットは図示のように箱形となっている。そして、第１吸引口２０を覆うようにして、第１カバー１７が配置されている。
【００６０】
第１カバー１７には、前述のように、縦縞の格子１７ａが所定の間隔で複数形成されており、第１カバー１７の上面及び下面には、例えば、合成樹脂製の一対の爪部１７ｂ・１７ｂが設けられている。一方、第１吸引口２０を規定する囲み部は前面扉２よりも僅かに前方に突出しており、一対の爪部１７ｂ・１７ｂに対応付けて、囲み部上壁面及び下壁面には、一対の爪部１７ｂ・１７ｂを受ける一対の溝部（スリット）２０ａ・２０ａが形成されている。したがって、第１吸引口２０に第１フィルタ２１を収納した後、第１吸引口２０を第１カバー１７で覆うと、爪部１７ｂが溝部２０ａに係止される。
【００６１】
又、第１フィルタ２１を清掃するなどのため取り外す際には、爪部１７ｂを撓ませれば、爪部１７ｂと溝部２０ａとの係止が解かれて、容易に第１カバー１７を取り外すことができる。つまり、第１カバー１７は、第１ファンユニット２３に着脱自在に取り付けられている。
【００６２】
この結果、第１カバー１７を取り外せば、前方側から容易に第１フィルタ２１を交換できる。
【００６３】
前述のように、前面扉２において、その下方には一対の第２吸引口２５Ｌ・２５Ｒが形成されている。一対の第２吸引口２５Ｌ・２５Ｒの各々は、略円形に形成されており、１８０度の角度間隔をおいて、互いに対向する一対の切り欠き部２６・２６が形成されている。
【００６４】
一方、一対の第２吸引口２５Ｌ・２５Ｒを覆う第２カバー１３Ｌ・１３Ｒは、筒形状に形成され、その前面に網目状の格子を有し、更に、１８０度の角度間隔をおいて、互いに相反する向きに突出する一対のフランジ部２７・２７が形成されている。
【００６５】
したがって、一対の第２吸引口２５Ｌ・２５Ｒをそれぞれ第２カバー１３Ｌ・１３Ｒで覆う際には、切り欠き部２６とフランジ部２７とを対応付けて切り欠き部２６にフランジ部２７を挿入した後、所定の角度だけ第２カバー１３Ｌ・１３Ｒを一方の方向に回動させると、第２カバー１３Ｌ・１３Ｒはフランジ部２７によって前面扉２に保持される。
【００６６】
又、第２カバー１３Ｌ・１３Ｒを他方の方向にフランジ部２７と切り欠き部２６が対応する位置まで回動すれば、容易に第２カバー１３Ｌ・１３Ｒを前面扉２から取り外すことができる。
【００６７】
図示のように、一対の第２吸引口２５Ｌ・２５Ｒの各々には、第２フィルタ２８が位置付けられる。第２フィルタ２８は、網目状の通風孔が疎なフィルタと、発泡材などで形成される通風孔が密なフィルタとで一体構成され、疎なフィルタが前面側に位置付けられる。
【００６８】
前述のように、第２カバー１３Ｌ・１３Ｒは前面扉２に着脱可能となっているから、容易に前方側から第２フィルタ２８を交換できる。
【００６９】
一対の第２吸引口２５Ｌ・２５Ｒにそれぞれ対応して、筐体にはブロワーファンモータ２９Ｌ・２９Ｒが配設され、一対の第２フィルタ２８・２８とブロワーファンモータ２９Ｌ・２９Ｒとによって筒形の第２ファンユニット３０が構成されている。
【００７０】
図３を参照して、一対のブロワーファンモータ２９Ｌ・２９Ｒの前面扉２への取り付けについて説明する。なお、ここでは、ブロワーファンモータ２９Ｒの取り付けについて説明するが、ブロワーファンモータ２９Ｌについても同様にして取り付けられる。
【００７１】
ブロワーファンモータ２９Ｒは、ランナ２９１と、ランナを回転させるモータ２９２と、ランナの周囲を囲って旋回流を排出するケーシング２９３とで構成され、略筒形に形成されている。そして、ケーシング２９３の吐出口を第２排出口３２としている。
【００７２】
図３において、前面扉２は、前側パネル２１１及び後側パネル２１２を備え、前側パネル２１１と後側パネル２１２とは所定の間隔をおいて配設されている。前述の第２吸引口２５Ｒは前側パネル２１１に形成されている。第２吸引口２５Ｒと対向して後側パネル２１２には開口部が形成されており、第２吸引口２５Ｒとこの開口部とは筒状の連結部材２１３によって密封状態で連結されている。つまり、前側パネル２１１と後側パネル２１２との間に筒状の連結部材２１３が配設され、この連結部材２１３によって第２吸引口２５Ｒと開口部とが密封状態で連通されている。
【００７３】
後側パネル２１２には、その開口部に対応付けて、ケーシング２９３に形成された取付部３４によってブロワーファンモータ２９Ｒが取り付けられており、後述するブロワーファンモータ２９Ｒの第２排出口３２が上方に向けられている。つまり、第１ファンユニット２３側に向けられている。
【００７４】
再び、図２を参照すると、第１ファンユニット２３が前面扉２から取り外された状態が示されており、第１ファンユニット２３を規定するファンユニット筐体２３ａには、上方に向かって開口する第１排出口２４が形成されている。一方、前面扉２の上部には、第１排出口２４と対向する網目構造の排気口２３ｂが設けられている。つまり、第１排出口２４から排気される空気は、排気口２３ｂから外部に排出される。
【００７５】
又、ファンユニット筐体２３ａには、第２ファンユニット３０側に向かって開口する一対の筒状の第３吸引口３１・３１が形成されている。そして、第１排出口２４と一対の第３吸引口３１・３１との間に位置する空間に軸流ファンモータ２２から送風される。
【００７６】
ここで、第１ファンユニット２３は、ファンユニット筐体２３ａを主構成としてよく、複数の軸流ファンモータ２２を取り付けるための前面扉２の一部を含んでよく、第１吸引口２０を構成する前面扉２の一部を含むことができる。
【００７７】
第２ファンユニット３０において、一対のブロワーファンモータ２９Ｌ・２９Ｒの各々には、第１ファンユニット２３側に向かって開口する第２排出口３２が形成されており、一対の第２排出口３２・３２は、それぞれ柔軟パイプ３３によって第３吸引口３１に接続されている。
【００７８】
具体的には、柔軟パイプ３３の一方の管端は、ねじりコイルばねの弾性力で縮径可能なピンチ金具２３１で第３吸引口３１に接続される。ピンチ金具２３１を用いれば、柔軟パイプ３３の着脱を容易に行うことができる。ここで、柔軟パイプ３３は弾力のある柔軟チューブが好ましい。
【００７９】
一方、柔軟パイプ３３の他方の管端には、ブロワーファンモータ２９Ｌ・２９Ｒの第２排出口３２の形状に合わせて、方形状のジョイント部３３ａが取り付けられて、ジョイント部３３ａによって柔軟パイプ３３が第２排出口３２に連結されている。
【００８０】
図１〜図３を参照して、図示しない駆動スイッチをオンすると、軸流ファンモータ２２とブロワーファンモータ２９Ｌ及び２９Ｒが駆動される。軸流ファンモータ２２は、第１フィルタ２１に近接して配置されており、羽根車の回転によって第１フィルタ２１を通過した空気を軸方向に排出する。空気が第１フィルタ２１を通過する際、塵芥などの粗い粒子が最初に疎なフィルタで除去され、煙草の煙などの密な粒子が次に密なフィルタで除去される。
【００８１】
軸流ファンモータ２２とファンユニット筐体２３ａの内壁との間には、所要の距離が規定されており、これによって、第１ファンユニット２３の風量が減少することを防止するようにしている。そして、軸流ファンモータ２２からの空気（排気）は第１排出口２４から排出されることになるが、ファンユニット筐体２３ａの内壁は、図２に示すように、第１排出口２４に向かって風が流れるように傾斜を設けている。
【００８２】
一方、ブロワーファンモータ２９Ｌ・２９Ｒはそれぞれ第２フィルタ２８に近接して配置されており、放射状に配置したランナ（羽根車）が回転すると、第２フィルタ２８を通過した空気が軸方向から吸引され、軸方向と略直交な向きに旋回流を作って排気される。空気が第２フィルタ２８を通過する際、塵芥などの粗い粒子が最初に疎なフィルタで除去され、煙草の煙などの密な粒子が次に密なフィルタで除去されることになる。
【００８３】
そして、一対のブロワーファンモータ２９Ｌ・２９Ｒから排出された空気は、柔軟パイプ３３を通って、第３吸引口３１からファンユニット筐体２３ａに至り、第１排出口２４から排出されることになる。
【００８４】
上述のようにして、本実施の形態による遊技機では、煙草の煙を吸い込む第１吸引口２０を前面扉２の上方に設け、煙草の煙を吸い込む一対の第２吸引口２５Ｌ・２５Ｒを前面扉２の下方に設けるようにしたので、遊技機１の周囲に漂う煙草の煙をより効果的に除去することできる。
【００８５】
更に、本実施の形態による遊技機では、スロットマシンなどの遊技機において前面扉２の内部中央にメダルセレクタや、スイッチやランプ類が突出していることを考慮して、軟質の合成樹脂による柔軟パイプ３３を用いて、第２排出口３２と第３吸引口３１とを接続するようにしたので、容易にしかもフレキシブルに第３吸引口３１と第２排出口３２とを接続することができる。
【００８６】
なお、図示はしないが、一対の第２吸引口２５Ｌ・２５Ｒを多孔板で覆うようにしてもよく、例えば、多孔板を有する第２カバー１３Ｌ・１３Ｒを合成樹脂などで成形すれば、煙草の煙で汚れた第２カバーを洗浄して、第２カバーを再使用することができる。
【図面の簡単な説明】
【００８７】
【図１】本発明による遊技機の一実施形態を示す斜視外観図である。
【図２】前記実施形態による遊技機に備わる空気清浄装置の斜視分解組立図であり、筐体部分は省略している。
【図３】前記実施形態による遊技機に備わる空気清浄装置の要部を示す縦断面図である。
【符号の説明】
【００８８】
１  遊技機
１ａ  筐体
２  前面扉
２０  第１吸引口
２１  第１フィルタ
２２  軸流ファンモータ
２４  第１排出口
２５Ｌ・２５Ｒ  一対の第２吸引口
２８  第２フィルタ
２９Ｌ・２９Ｒ  一対のブロワーファンモータ
３１  第３吸引口
３２  第２排出口
３３  柔軟パイプ
【図１】
2008295522.tif 000003
【図２】
2008295522.tif 000004
【図３】
2008295522.tif 000005